(57)【要約】      （修正有）【課題】症例間で院内の衛生環境を向上させることができる内視鏡用ビデオプロセッサ、及び吸引チューブ保持部材を提供すること。【解決手段】本発明の内視鏡装置は、内視鏡と、該内視鏡が接続される装置本体と、該装置本体に設けられ、吸引装置から延設され上記内視鏡に非接続状態の吸引チューブを係止して保持する保持部と、を具備することを特徴とする。【選択図】なし【特許請求の範囲】
【請求項１】
内視鏡と、
該内視鏡が接続される装置本体と、
該装置本体に設けられ、吸引装置から延設され上記内視鏡に非接続状態の吸引チューブを保持する保持部材と、
を具備することを特徴とする内視鏡装置。
【請求項２】
上記保持部材は、上記装置本体の操作構成要素から所定の距離だけ離間する位置に配置されていることを特徴とする請求項１に記載の内視鏡装置。
【請求項３】
上記保持部材は、上記吸引チューブの先端部分を係止する係止部を有することを特徴とする請求項１、又は請求項２に記載の内視鏡装置。
【請求項４】
上記保持部材は、上記吸引チューブの一端部分を覆い、該吸引チューブの通気状態を維持するための通気部を有するキャップ体であることを特徴とする請求項１から請求項３の何れかに記載の内視鏡装置。
【請求項５】
上記係止部は、上記吸引チューブの開口部を上記装置本体の前面方向から後方に向かった方向で保持することを特徴とする請求項３、又は請求項４に記載の内視鏡装置。
【請求項６】
上記係止部は、上記吸引チューブの上記開口部に係入して保持する通気路を備えた突起部であることを特徴とする請求項３、又は請求項５に記載の内視鏡装置。
【請求項７】
上記係止部は、上記吸引チューブの一端外周を係止するフック部であることを特徴とする請求項３に記載の内視鏡装置。
【請求項８】
上記保持部材は、上記装置本体に着脱自在であることを特徴とする請求項１から請求項７の何れか１項に記載の内視鏡装置。
【請求項９】
上記保持部材は、上記装置本体に設けられた保持体の保持部に着脱自在で、
該保持部は、上記保持部材が外された状態で、上記吸引チューブを係止する上記フック部の機能を備えたことを特徴とする請求項８に記載の内視鏡装置。
【請求項１０】
上記保持部材は、上記操作構成要素よりも下部に配設されていることを特徴とする請求項１から請求項９の何れか１項に記載の内視鏡装置。
【請求項１１】
上記保持部は、上記操作構成要素を有し、上記装置本体の前面に配設されるフロントパネルよりも後方に配置されていることを特徴とする請求項１から請求項１０の何れか１項に記載の内視鏡装置。
【請求項１２】
内視鏡が接続される装置本体と、
該装置本体に設けられ、吸引装置から延設され上記内視鏡に非接続状態の吸引チューブを保持する保持部材と、
を具備することを特徴とする内視鏡用光源装置。
【請求項１３】
内視鏡が接続される内視鏡用ビデオプロセッサに配設され、吸引装置から延設され該内視鏡に非接続状態の吸引チューブを保持する保持部を備えたことを特徴とする吸引チューブ保持部材。
【請求項１４】
上記保持部は、上記装置本体に着脱自在であることを特徴とする請求項１３に記載の吸引チューブ保持部材。
【発明の詳細な説明】
【技術分野】
【０００１】
本発明は、内視鏡を備えた内視鏡装置、内視鏡に接続される内視鏡用光源装置、吸引システムの吸引チューブを保持する吸引チューブ保持部材に関する。
【背景技術】
【０００２】
従来から内視鏡は、医療用分野で広く利用されている。この内視鏡は、体内組織の観察、及び治療のため、体腔などに挿入される。このとき、内視鏡は、体内を自然光のみで観察することができない為、光源装置に接続され、照明手段により体内組織を照らして撮像手段により内視鏡画像を撮影する。
【０００３】
また、近年では、内視鏡に撮像素子が配設された電子内視鏡が広く利用されている。このような電子内視鏡では、ビデオプロセッサに接続され、モニタ画面によって撮影した内視鏡画像を映し出すことができる。
【０００４】
このような体内組織の観察に用いられる内視鏡検査装置では、体内の不要な体液などを吸引除去するために吸引装置を備えたものがある。この吸引装置は、吸引チューブを介して内視鏡と接続され、内視鏡の挿入部より、上記体内の不要な体液などを吸引することができる。
【０００５】
例えば、特許文献１には、内視鏡検査に使用する複数の周辺機器を収納したユニットを備えた内視鏡検査装置が開示されている。この内視鏡検査装置のユニットには、送水用、吸引用のチューブを固定するチューブ取り付け具が配設されている。
【特許文献１】特開平８−１１０４７９号公報
【発明の開示】
【発明が解決しようとする課題】
【０００６】
しかしながら、従来の内視鏡検査装置では、ユニット自体が大きなものとなり、数少ない規模の大きな病院に対して非常に有効であるが、院内スペースの限られた小さな病院に対して治療室が手狭になり適したものではない。そのため、多くの病院では、院内スペースの関係上、従来のような大掛かりな内視鏡検査装置を採用することなく、内視鏡と、必要な周辺機器のみで内視鏡のシステムを構築する場合が殆どである。
【０００７】
ところで、医師などのユーザは、体液などを内視鏡を介して吸引する吸引装置は、症例間においても、常に駆動させ、逆流を防止することで使用済みの内視鏡から取り外した吸引チューブを内視鏡のように患者毎に交換しないで使用する場合が殆どである。
【０００８】
この場合、内視鏡検査装置を用いない病院では、今まで吸引装置の吸引チューブを保持する手段がなく、吸引チューブが床に置かれて放置されていたり、機器と、この機器を載置している台との間に挟んで保持したりと不衛生な状態とされる場合がある。
【０００９】
そこで、本発明は、上述の事情に鑑みて成されたものであり、その目的とするところは症例間で院内の衛生環境を向上させることができる内視鏡装置、内視鏡用光源装置、及び吸引チューブ保持部材を提供することにある。
【課題を解決するための手段】
【００１０】
上記目的を達成すべく、第１の発明の内視鏡装置は、内視鏡と、該内視鏡が接続される装置本体と、該装置本体に設けられ、吸引装置から延設され上記内視鏡に非接続状態の吸引チューブを保持する保持部材と、を具備することを特徴とする。
【００１１】
また、第２の発明の内視鏡用光源装置は、内視鏡が接続される装置本体と、該装置本体に設けられ、吸引装置から延設され上記内視鏡に非接続状態の吸引チューブを保持する保持部材と、を具備することを特徴とする。
【００１２】
さらに、第３の発明の吸引チューブ保持部材は、内視鏡が接続される内視鏡用光源装置に配設され、吸引装置から延設され該内視鏡に非接続状態の吸引チューブを保持する保持部を備えたことを特徴とする。
【発明の効果】
【００１３】
本発明によれば、症例間で院内の衛生環境を向上させることができる内視鏡装置、内視鏡用光源装置、及び吸引チューブ保持部材を実現することができる。
【発明を実施するための最良の形態】
【００１４】
以下、図面を参照して、本発明の内視鏡用ビデオプロセッサについて説明する。  
先ず、図１〜図２９を用いて、本発明の実施の形態について説明する。尚、図１〜図２９は、本発明の実施の形態に係り、図１は内視鏡用ビデオプロセッサを示す斜視図、図２は図１の内視鏡用ビデオプロセッサの正面図、図３は保持体を示す一方の側面図、図４は図３の矢視ＩＶ方向から見た保持体の上面図、図５は図３の矢視Ｖ方向から見た保持体の下面図、図６は図３の矢視ＶＩ方向から見た保持体の正面図、図７は図３の矢視ＶＩＩ方向から見た保持体の背面図、図８は保持体を図３とは反対の他方の側面図、図９は保持体を正面から見た斜視図、図１０は保持体を背面から見た斜視図、図１１は保持体が内視鏡用ビデオプロセッサの一側面に装着前の状態を示す部分的な斜視図、図１２は保持体が内視鏡用ビデオプロセッサの一側面に装着後の状態を示す部分的な斜視図、図１３は内視鏡を示す全体構成図、図１４はホワイトバランスキャップを示す斜視図、図１５はスコープケーブルを示す斜視図、図１６はチューブ保持キャップを示す斜視図、図１７はチューブ保持キャップの横断面図、図１８は各構成要素が保持体に装着前の状態を示す部分的な斜視図、図１９は各構成要素が保持体に装着後の状態を示す部分的な斜視図、図２０は内視鏡検査時の内視鏡用ビデオプロセッサのセット状態を示す斜視図、図２１は吸引チューブがチューブ保持キャップに挿入保持前の状態を示す部分的な斜視図、図２２は吸引チューブがチューブ保持キャップに挿入保持後の状態を示す部分的な斜視図、図２３は吸引チューブがチューブ保持キャップに挿入保持された状態を示す断面図、図２４は吸引チューブがチューブ保持キャップに挿入保持された状態を内視鏡用ビデオプロセッサ、及び保持体と共に側方から見た平面図、図２５は第１の変形例となるチューブ保持キャップを示す斜視図、図２６は図２５のチューブ保持キャップが吸引チューブを保持した状態を示す断面図、図２７は第２の変形例となる切り欠きが設けられたチューブ保持キャップを示す斜視図、図２８は第３の変形例となる切り欠きが設けられたチューブ保持キャップを示す斜視図、図２９は第４の変形例となる保持体のフックにより吸引チューブが保持された状態を示す部分的な斜視図である。
【００１５】
図１、及び図２に示すように、内視鏡と共に内視鏡装置を構成し、内視鏡用光源装置でもある、本実施の形態の内視鏡用ビデオプロセッサ（カメラコントロールユニット、或いはビデオシステムセンタと言われることもある）１は、箱型に装置本体の外形を形成する筐体２と、筐体２の前面部に配設され、装置本体の前面部となるフロントパネル３と、を有している。この内視鏡用ビデオプロセッサ（以下、単にビデオプロセッサという）１は、内視鏡の照明光源であるハロゲンランプを備えると共に、内視鏡の撮像手段が光電変換した信号を画像解析処理し、外部に接続される図示しないモニタに内視鏡画像信号として出力する。  
尚、本実施の形態の内視鏡用ビデオプロセッサ１には、内視鏡による送気送水のためのコンプレッサ、ポンプなども内蔵されている。
【００１６】
フロントパネル３には、内視鏡に接続されるスコープケーブルの一方のコネクタが着脱する雌状コネクタ部４と、駆動時に点灯する電源ランプ５と、電源スイッチ６と、内視鏡が着脱される内視鏡コネクタ部７と、内蔵するハロゲンランプの切換え用の光源切換えレバー８と、内視鏡に接続される上記スコープケーブルの他方のコネクタが当接しないようにするための凹部９と、各種操作をコントロールする操作パネル１０と、を有している。
【００１７】
操作パネル１０には、複数の警告ランプ、及び複数の設定ボタン１０ａが配設されており、本実施の形態では、符号１０ｂがキャリブレーション指示部であるホワイトバランス設定ボタンとなっている。尚、ユーザは、各設定ボタン１０ａの操作により、光源の光量、イメージ色調などの設定が行える。
【００１８】
光源切換えレバー８は、装置内部に内蔵されたハロゲンランプが球切れとなった場合、予備のハロゲンランプに切り換えるためのレバーである。
【００１９】
また、ビデオプロセッサ１は、吸引チューブ保持部材であるチューブ保持キャップ２１、ホワイトバランスキャップ３１、及び上記スコープケーブルのコネクタを保持する、着脱自在な保持体１１が一側面に配設されている。
【００２０】
ここで、保持体１１について、図３〜図１２を用いて、詳しく説明する。  
図３〜図１０に示すように、保持体１１は、上部側からホワイトバランスキャップ３１を保持するリング形状のキャップ保持部１２と、スコープケーブルのコネクタの外形状に合わせて該コネクタを保持する略半筒状の凹部状に形成されたスコープコネクタ保持部１３と、チューブ保持キャップ２１を保持する内向のフランジ形状をしたキャップ保持部１４と、が一体形成されている。
【００２１】
リング状のキャップ保持部１２は、上方の開口からホワイトバランスキャップ３１が挿入される孔軸が所定の角度、本実施の形態では鉛直方向に対して前方のフロントパネル３の表面側へ例えば、１０度〜３０度に傾斜した内周面１２ａを有している。
【００２２】
スコープコネクタ保持部１３は、保持体１１の前面側に向かって段状に先細りした略半筒状をしている。また、スコープコネクタ保持部１３は、その前方に保持体１１の前面を形成すると共に、側方、ここでは右側から略半円状に切り欠かれた内向のフランジ状の係止面１３ａが形成されている。
【００２３】
キャップ保持部１４は、上方斜め、ここでは右斜め方向から略半円状に切り欠かれたキャップ係止部１４ａが形成されている。
【００２４】
このように構成された保持体１１は、各保持部１２〜１４を片持ちする状態で一側部が平面形状をしており、その一側部には略Ｌ字状の切り溝１５が２つ形成されている。これら切り溝１５は、ビデオプロセッサ１の筐体２の側面部に保持体１１が係止されるための係止溝である。
【００２５】
詳しくは、図１１、及び図１２に示すように、本実施の形態ではビデオプロセッサ１には、フロントパネル３側から見たときに、筐体２の右側の側面に頭部に外向のフランジを有した２つの係止部１８が設けられている。
【００２６】
これら係止部１８には、保持体１１の上記一側部が筐体２に対向する方向から、それぞれ対応する保持体１１の切り溝１５が係入される。これにより、保持体１１は、ビデオプロセッサ１の筐体２の一側面、ここでは右側面に固定される。
【００２７】
ここで、ビデオプロセッサ１に接続される内視鏡について図１３を用いて説明する。  
内視鏡１００は、図１３に示すように、挿入部１１１と、この挿入部１１１の基端に接続される操作部１１２と、この操作部１１２から延設され、ビデオプロセッサ１に接続されるユニバーサルコード１１３と、を有している。
【００２８】
挿入部１１１は、先端から順に、先端部１１１ａ、湾曲部１１１ｂ、及び可撓管部１１１ｃが連設された軟性のチューブ体である。操作部１１２は、先端から順に、可撓管部１１１ｃの基端が接続された折れ止め部１１２ａと、処置具挿通部１１２ｄを備えた把持部１１２ｂと、湾曲レバー１１５、送気、送水、吸引の操作、及び先端部１１１ａに設けられる撮像手段、照明手段などの各種光学系操作を行うための複数のスイッチ１１４が配設された主操作部１１２ｃと、を有して構成されている。
【００２９】
先端部１１１ａには、体内の組織を撮影するためのＣＣＤ、或いはＣＭＯＳの撮像素子が内蔵され、この撮像素子により光電変換された画像信号がユニバーサルコード１１３を介して、ビデオプロセッサ１に出力される。
【００３０】
尚、ユニバーサルコード１１３の延出端には、ビデオプロセッサ１に接続するコネクタ部１１３ａが配設されている。このコネクタ部１１３ａは、基端面側からビデオプロセッサ１の内視鏡コネクタ部７に挿入接続され、一側面に後述するスコープケーブルのコネクタが接続される電気コネクタ部１１３ｂを有している。
【００３１】
本実施の形態では、先端部１１１ａからユニバーサルコード１１３にかけてライトガイドが挿通しており、このライトガイドがビデオプロセッサ１内の光源を導光することで、先端部１１１ａから被検体に向けて照明光が照射される。さらに、ユニバーサルコード１１３のコネクタ部１１３ａは、図示しない送気送水用のプラグ、及び吸引用のプラグが設けられている。
【００３２】
また、本実施の形態の内視鏡１００は、湾曲部１１１ｂが上下の２方向へ湾曲するタイプの内視鏡であり、操作部１１２に設けられた湾曲レバー１１５の回動操作によって、湾曲部１１１ｂが上下（ＵＰ−ＤＯＷＮ）に湾曲される。尚、内視鏡１００は、湾曲部１１１ｂが上下のみの２方向に湾曲するタイプに限定されることなく左右を含めた４方向（上下左右の操作によっては、軸回りの全周方向）へ湾曲するタイプでも良い。
【００３３】
次に、上述した保持体１１の各保持部１２〜１４に保持されるホワイトバランスキャップ３１、スコープケーブルのコネクタ、及びチューブ保持キャップ２１について説明する。
【００３４】
先ず、ホワイトバランスキャップ３１について、図１４を用いて説明する。  
図１４に示すように、キャリブレーション部材であるホワイトバランスキャップ３１は、一端が閉塞した略筒状をしており、該一端に外向のフランジ３２が形成されている。このホワイトバランスキャップ３１は、内視鏡１００の挿入部１１１の先端部分を収容して、内視鏡が撮影する画像のホワイトバランスを取得するために全体が白色面の穴部３３を有している。このように構成されたホワイトバランスキャップ３１は、後述するように、保持体１１のキャップ保持部１２に装着保持される。
【００３５】
次に、内視鏡１００に接続されるスコープケーブル４１について、図１５を用いて説明する。  
図１５に示すように、スコープケーブル４１は、両端にコネクタ４２，４３が配設されたコイル状に巻回した、所謂カール状のケーブル線４４を有している。このケーブル線４４には、各コネクタ４２，４３が離れる方向にテンションが掛けられると、延伸し、且つ元の状態に戻ろうとする張力が発生する。
【００３６】
また、各コネクタ４２，４３のうち、コネクタ（以下、プロセッサ側コネクタという）４２は、ビデオプロセッサ１のフロントパネル３に設けられた雌状コネクタ部４に挿入接続される。このプロセッサ側コネクタ４２は、凹凸が表面に形成された略板状をしており、先端面からコネクタ端子４２ａを有している。
【００３７】
一方、コネクタ（以下、内視鏡側コネクタという）４３は、内視鏡１００のコネクタ部１１３ａの一側面に配設される電気コネクタ部１１３ｂに接続される。この内視鏡側コネクタ４３は、複数の段部を有して先細りとなった略円筒形状をしている。このように構成された、スコープケーブル４１は、内視鏡側コネクタ４３が後述するように、保持体１１のスコープコネクタ保持部１３に装着保持される。
【００３８】
次に、吸引チューブを保持するチューブ保持キャップ２１について、図１６、及び図１７を用いて説明する。  
図１６に示すように、チューブ保持キャップ２１は、弾性部材、或いは合成樹脂からなり、一端が開口し、他端が閉塞したチューブ保持穴２２を有する略筒状の部材である。このチューブ保持キャップ２１の中途外周部には、周溝２３が形成されている。また、チューブ保持穴２２を形成する開口部と反対の端面は、所謂すり鉢状の曲面が形成されている。
【００３９】
このように構成された、チューブ保持キャップ２１は、後述するように、保持体１１のキャップ保持部１４に装着保持される。
【００４０】
以上に説明した、ホワイトバランスキャップ３１、スコープケーブル４１の内視鏡側コネクタ４３、及びチューブ保持キャップ２１は、図１８、及び図１９に示すように、ビデオプロセッサ１に固定された保持体１１に夫々所定の位置で装着保持される。
【００４１】
詳しくは、ホワイトバランスキャップ３１は、保持体１１の上方に設けられたキャップ保持部１２の上方から開口部側を下部として挿入される。このとき、ホワイトバランスキャップ３１は、その外周面がキャップ保持部１２の内周面１２ａと所定の摩擦力で接触状態となり、ある程度の固定力で保持された状態となる。また、ホワイトバランスキャップ３１のフランジ３２がキャップ保持部１２の上面部と当接して、下方への脱落が防止される。
【００４２】
また、スコープケーブル４１の内視鏡側コネクタ４３は、延出するケーブル線４４が前方側となるように、スコープコネクタ保持部１３に側方、ここでは右側から載置される。このとき、内視鏡側コネクタ４３は、外形と略同じように形成された凹部状のスコープコネクタ保持部１３に係合すると共に、前方側へケーブル線４４の張力を受けた状態で保持される。また、内視鏡側コネクタ４３は、前方側への張力により、保持体１１の係止面１３ａにケーブル線４４が延出する周囲の面が当接して固定され、スコープコネクタ保持部１３からの脱落が防止される。
【００４３】
一方、チューブ保持キャップ２１は、チューブ保持穴２２の開口部が前方となるように、上方斜め、ここでは右斜め方向からキャップ保持部１４に装着される。このとき、チューブ保持キャップ２１は、その外周部に形成された周溝２３がキャップ係止部１４ａに係入され固定される。
【００４４】
また、チューブ保持キャップ２１の周溝２３の溝幅は、キャップ係止部１４ａの厚さ方向の寸法よりも若干に小さく設定されている。そのため、チューブ保持キャップ２１は、自己の弾性力により周溝２３を形成する面がキャップ係止部１４ａの当接面と圧接固定するため、キャップ係止部１４ａからの脱落が防止される。
【００４５】
以上のように構成された本実施の形態のビデオプロセッサ１は、図２０に示す状態にセットされ、内視鏡検査が行われる。尚、図２０では、内視鏡画像を表示するモニタなどの表示手段は図示していない。
【００４６】
図２０に示すように、ビデオプロセッサ１は、内視鏡コネクタ部７に内視鏡１００のコネクタ部１１３ａの端部が挿入接続される。また、スコープケーブル４１は、プロセッサ側コネクタ４２がビデオプロセッサ１のフロントパネル３の雌状コネクタ部４に挿入接続され、内視鏡側コネクタ４３が内視鏡１００のコネクタ部１１３ａの側面に設けられた電気コネクタ部１１３ｂに接続される。
【００４７】
また、内視鏡１００のコネクタ部１１３ａには、図示しない吸引装置に接続された吸引チューブ５１と、送気送水用のチューブ５６が接続される。また、上記吸引装置は、別体の装置、或いは病院施設に設けられた吸引システム装置である。尚、図２０に示すように、内視鏡１００の挿入部１１１を介して、被検体内に送水するための滅菌水が貯留された送水タンク５５がビデオプロセッサ１の側面、紙面上において、保持体１１が配設された側面と反対側の側面に配設されている。
【００４８】
以上のように構成された本実施の形態のビデオプロセッサ１を用いて内視鏡検査が行われた場合、次の患者の内視鏡検査を行う症例間において、使用済みの内視鏡１００が取り替えられ、洗滌された新たな内視鏡１００がビデオプロセッサ１に接続される。
【００４９】
このとき、医師であるユーザは、送気送水用のチューブ５６、スコープケーブル４１の内視鏡側コネクタ４３、吸引チューブ５１などを内視鏡１００のコネクタ部１１３ａから取り外した後、ビデオプロセッサ１からコネクタ部１１３ａを抜き取る。特に、吸引チューブ５１は、体液などを吸引しているため、不衛生な状態となる。
【００５０】
そのため、ユーザは、図２１、及び図２２に示すように、コネクタ部１１３ａから取り外した吸引チューブ５１の先端部分を保持体１１のチューブ保持キャップ２１のチューブ保持穴２２内に挿入して保持させる。すなわち、チューブ保持キャップ２１は、吸引チューブ５１を保持する保持部を構成する。
【００５１】
チューブ保持キャップ２１に挿入保持された吸引チューブ５１は、図２３に示すように、チューブ保持穴２２内で、カバーされた状態で左右方向にずれた位置の上下に２点支持されて係止される。すなわち、チューブ保持キャップ２１は、チューブ保持穴２２が吸引チューブ５１の係止部となる。
【００５２】
つまり、係止部であるチューブ保持穴２２は、その孔径が吸引チューブ５１の直径よりも大きく設定されている。これにより、チューブ保持キャップ２１は、吸引チューブ５１をチューブ保持穴２２で保持した状態において、この保持穴２２の開口部が通気部となって、吸引装置を駆動したままでも吸引チューブ５１に外気が常に通気される状態を維持することができ、吸引した体液などの逆流を防止すると共に、吸引装置に陰圧の負荷が発生することを防止することができる。
【００５３】
尚、保持体１１がビデオプロセッサ１に配設された状態において、図２４に示すように、チューブ保持キャップ２１のチューブ保持穴２２の開口部となるチューブ保持キャップ２１の端面位置Ａは、ユーザによる操作構成要素を備えたフロントパネル３の表面、及びホワイトバランスキャップ３１の開口面よりも後方に位置するように、ビデオプロセッサ１に対する保持体１１の設置位置、及びチューブ保持キャップ２１を装着保持するキャップ保持部１４の位置が設定されている。
【００５４】
さらには、チューブ保持キャップ２１が装着されるキャップ保持部１４は、保持体１１における最下部に位置する。換言すれば、チューブ保持キャップ２１が上記操作構成要素よりも下部側に位置するように、ビデオプロセッサ１に対する保持体１１の設置位置、及びチューブ保持キャップ２１を装着保持するキャップ保持部１４の位置が設定されている。
【００５５】
すなわち、チューブ保持キャップ２１は、不衛生な吸引チューブ５１を保持するため不潔域となる。そのため、チューブ保持キャップ２１は、ユーザによる操作構成要素である各種コネクタ４，７、電源スイッチ６、操作パネル１０などを有する清潔域のフロントパネル３から所定の離間した距離を有すると共に、ユーザが前方から操作アプローチする操作構成要素よりも後方に位置するように設定される。
【００５６】
また、保持体１１において、不潔域となるチューブ保持キャップ２１を最下部とし、仮に体液などの汚染物が垂れた場合、その汚染物は、他の構成要素であるホワイトバランスキャップ３１、及びスコープコネクタ保持部１３に保持する内視鏡側コネクタ４３に垂れることが無い。
【００５７】
以上のことから、本実施の形態の内視鏡用ビデオプロセッサ１は、内視鏡検査における症例間で、清潔域と不潔域とが分けることができるような位置にチューブ保持キャップ２１を設置することができ、このチューブ保持キャップ２１により不衛生な吸引チューブ５１を保持することができるため、院内の衛生環境を向上させることができる。
【００５８】
尚、図２５、及び図２６に示すような保持体１１のキャップ保持部１４に装着されるチューブ保持キャップ２１ａとしても良い。  
詳しくは、チューブ保持キャップ２１ａは、吸引チューブ５１を外挿保持する係止部となる突起部２４が一端中央に有している。このチューブ保持キャップ２１ａは、上述のチューブ保持キャップ２１と同様に、他端面に開口部を有するチューブ保持穴２２を有し、このチューブ保持穴２２に連通する通気路２５が突起部２４の中央部に穿設されている。また、突起部２４の外周部には、凹凸が形成されており、少なくとも凸部の外径が吸引チューブ５１の内径よりも大きく設定されている。
【００５９】
このような構成により、チューブ保持キャップ２１ａは、両端で異なる太さの吸引チューブ５１を選択的に保持することができる。また、突起部２４の通気路２５によって、吸引装置が駆動状態であっても吸引チューブ５１が陰圧となることが防止される。そのため、図２６に示すように、チューブ保持穴２２の穴径は、吸引チューブ５１の外径と等しいか、あるいは若干小さくても良い。
【００６０】
さらに、図２７、及び図２８に示すように、チューブ保持キャップ２１，２１ａは、吸引チューブ５１の陰圧防止のため、チューブ保持穴２２に到達する切り欠き２６を有していても良い。図２７のチューブ保持キャップ２１では、切り欠き２６からエアーが吸引できるため、チューブ保持穴２２の穴径は、吸引チューブ５１の外径と等しいか、あるいは若干小さくても良い。
【００６１】
さらに、図２９に示すように、上述したキャップ保持部１４に代えて、吸引チューブ５１の外周部を圧接保持する係止部であるフック部２７を保持体１１に一体形成しても良い。このフック部２７を備えた保持体１１は、本実施の形態において、吸引チューブ５１保持する吸引チューブ保持部材を構成する。尚、このフック部２７は、キャップ保持部１４の機能を備えたものでも良く、チューブ保持キャップ２１を取り外した状態で吸引チューブ５１の外周部を圧接保持できる構成としても良い。
【００６２】
尚、以上に説明した、吸引チューブ５１を保持する吸引チューブ保持部材であるチューブ保持キャップ２１，２１ａは、保持体１１に着脱自在であるため、洗滌可能なリユース品としても良いし、単回使用であるディスポーザブル品としても良い。勿論、フック２７を備えたものも含め、保持体１１もビデオプロセッサ１に着脱自在であるため、洗滌可能なリユース品でも、ディスポーザブル品としても良い。
【００６３】
以上の実施の形態に記載した発明は、夫々の実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００６４】
例えば、上述の実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６５】
【図１】本発明の実施の形態に係る内視鏡用ビデオプロセッサを示す斜視図。
【図２】同、図１の内視鏡用ビデオプロセッサの正面図。
【図３】同、保持体を示す一方の側面図。
【図４】同、図３の矢視ＩＶ方向から見た保持体の上面図。
【図５】同、図３の矢視Ｖ方向から見た保持体の下面図。
【図６】同、図３の矢視ＶＩ方向から見た保持体の正面図。
【図７】同、図３の矢視ＶＩＩ方向から見た保持体の背面図。
【図８】同、保持体を図３とは反対の他方の側面図。
【図９】同、保持体を正面から見た斜視図。
【図１０】同、保持体を背面から見た斜視図。
【図１１】同、保持体が内視鏡用ビデオプロセッサの一側面に装着前の状態を示す部分的な斜視図。
【図１２】同、保持体が内視鏡用ビデオプロセッサの一側面に装着後の状態を示す部分的な斜視図。
【図１３】同、内視鏡を示す全体構成図。
【図１４】同、ホワイトバランスキャップを示す斜視図。
【図１５】同、スコープケーブルを示す斜視図。
【図１６】同、チューブ保持キャップを示す斜視図。
【図１７】同、チューブ保持キャップの横断面図。
【図１８】同、各構成要素が保持体に装着前の状態を示す部分的な斜視図。
【図１９】同、各構成要素が保持体に装着後の状態を示す部分的な斜視図。
【図２０】同、内視鏡検査時の内視鏡用ビデオプロセッサのセット状態を示す斜視図。
【図２１】同、吸引チューブがチューブ保持キャップに挿入保持前の状態を示す部分的な斜視図。
【図２２】同、吸引チューブがチューブ保持キャップに挿入保持後の状態を示す部分的な斜視図。
【図２３】同、吸引チューブがチューブ保持キャップに挿入保持された状態を示す断面図。
【図２４】同、吸引チューブがチューブ保持キャップに挿入保持された状態を内視鏡用ビデオプロセッサ、及び保持体と共に側方から見た平面図。
【図２５】第１の変形例となるチューブ保持キャップを示す斜視図。
【図２６】図２５のチューブ保持キャップが吸引チューブを保持した状態を示す断面図。
【図２７】第２の変形例となる切り欠きが設けられたチューブ保持キャップを示す斜視図。
【図２８】第３の変形例となる切り欠きが設けられたチューブ保持キャップを示す斜視図。
【図２９】第４の変形例となる保持体のフックにより吸引チューブが保持された状態を示す部分的な斜視図。
【符号の説明】
【００６６】
１・・・内視鏡用ビデオプロセッサ
２・・・筐体
３・・・フロントパネル
４・・・雌状コネクタ部
７・・・内視鏡コネクタ部
８・・・レバー
９・・・凹部
１０・・・操作パネル
１０ａ・・・設定ボタン
１０ｂ・・・ホワイトバランス設定ボタン
１１・・・保持体
１２・・・キャップ保持部
１３・・・スコープコネクタ保持部
１３ａ・・・係止面
１４・・・キャップ保持部
１４ａ・・・キャップ係止部
１５・・・切り溝
１８・・・係止部
２１，２１ａ・・・チューブ保持キャップ
２２・・・チューブ保持穴
２３・・・周溝
２４・・・突起部
２５・・・通気路
２７・・・フック部
３１・・・ホワイトバランスキャップ
４１・・・スコープケーブル
４２ａ・・・コネクタ端子
４２・・・プロセッサ側コネクタ
４３・・・内視鏡側コネクタ
４４・・・ケーブル線
５１・・・吸引チューブ
１００・・・内視鏡
１１３・・・ユニバーサルコード
１１３ａ・・・コネクタ部
１１３ｂ・・・電気コネクタ部
Ａ・・・端面位置
【図１】
2008029750.tif 000002
【図２】
2008029750.tif 000003
【図３】
2008029750.tif 000004
【図４】
2008029750.tif 000005
【図５】
2008029750.tif 000006
【図６】
2008029750.tif 000007
【図７】
2008029750.tif 000008
【図８】
2008029750.tif 000009
【図９】
2008029750.tif 000010
【図１０】
2008029750.tif 000011
【図１１】
2008029750.tif 000012
【図１２】
2008029750.tif 000013
【図１３】
2008029750.tif 000014
【図１４】
2008029750.tif 000015
【図１５】
2008029750.tif 000016
【図１６】
2008029750.tif 000017
【図１７】
2008029750.tif 000018
【図１８】
2008029750.tif 000019
【図１９】
2008029750.tif 000020
【図２０】
2008029750.tif 000021
【図２１】
2008029750.tif 000022
【図２２】
2008029750.tif 000023
【図２３】
2008029750.tif 000024
【図２４】
2008029750.tif 000025
【図２５】
2008029750.tif 000026
【図２６】
2008029750.tif 000027
【図２７】
2008029750.tif 000028
【図２８】
2008029750.tif 000029
【図２９】
2008029750.tif 000030